(57)【要約】【課題】  表示面が平面状を為す複数の表示装置を組み合わせたものでありながら、各表示面の境界部分を曲面状に見せることもできる遊技機用表示ユニットを提供する。【解決手段】  平面状の第一表示面１１１ａを有する第一表示装置１１１と、平面状の第二表示面１１２ａを有し、第一表示装置１１１の周囲に配された第二表示装置１１２とを備えた遊技機用表示ユニット１００において、第二表示装置１１２を、第二表示面１１２ａが第一表示面１１１ａに対して傾斜した状態となるように配するとともに、第一板状部１２１と第二板状部１２２とが連続的に形成された板状を為し、少なくとも第一板状部１２１と第二板状部１２２との接続部分１２３が曲面状に形成された透明板１２０を、第一表示面１１１ａ及び第二表示面１１２ａの前側に配することにより、少なくとも第一表示面１１１ａと第二表示面１１２ａとの境界部周辺が、曲面状に視認されるようにした。【選択図】  図５
2018158060.tif 000002
【特許請求の範囲】
【請求項１】
平面状の第一表示面を前面側に有する第一表示装置と、
平面状の第二表示面を前面側に有し、第一表示装置の周囲に配された第二表示装置と、
を備えた遊技機用表示ユニットであって、
第二表示装置が、その第二表示面が第一表示装置の第一表示面に対して傾斜した状態となるように配されるとともに、
第一表示面の前側を覆う第一板状部と、第二表示面の前側を覆う第二板状部とが連続的に形成された板状を為し、少なくとも第一板状部と第二板状部との接続部分が曲面状に形成された透明板が、第一表示面及び第二表示面の前側に配されることにより、
遊技者から見たときに、少なくとも第一表示面と第二表示面との境界部周辺が、曲面状に視認されるようにした
ことを特徴とする遊技機用表示ユニット。
【請求項２】
透明板の後側を拡大又は縮小して前面側に見えるようにするためのレンズ部が、透明板における前記接続部分に設けられた請求項１又は２記載の遊技機用表示ユニット。
【請求項３】
第一表示装置が、その第一表示面の周辺部に第一枠部を有するものとされて、
第二表示装置が、その第二表示面の周辺部に第二枠部を有するものとされ、
前記レンズ部が、
前記接続部分における、第一板状部側に設けられた第一レンズ部と、
前記接続部分における、第二板状部側に設けられた第二レンズ部と
で構成された
請求項２記載の遊技機用表示ユニット。
【請求項４】
第一レンズ部が、第二レンズ部に近くなるにつれて倍率が高くなるものとされて、
第二レンズ部が、第一レンズ部に近くなるにつれて倍率が高くなるものとされた
請求項３記載の遊技機用表示ユニット。
【請求項５】
第二表示装置の第二枠部における、第一表示面と第二表示面との境界部に位置する部分が、第一表示装置の第一枠部における、第一表示面と第二表示面との境界部に位置する部分の前側に重なる状態で配され、
第一レンズ部の倍率が、第二レンズ部の倍率よりも高くされた
請求項３又は４記載の遊技機用表示ユニット。
【請求項６】
第二表示装置が、その第二表示面が第一表示面よりも前側に突き出た状態で配された請求項５記載の遊技機用表示ユニット。
【請求項７】
第二表示装置が、第一表示装置を間に挟んだ状態で第一表示装置の両側に配され、
透明板の第二板状部が、第一板状部を間に挟んだ状態で第一板状部の両側に設けられた
請求項１〜６いずれか１つに記載の遊技機用表示ユニット。
【請求項８】
請求項１〜７いずれか１つに記載の遊技機用表示ユニットを備えた遊技機。
【発明の詳細な説明】
【技術分野】
【０００１】
本発明は、回胴式遊技機やパチンコ遊技機等の遊技機に用いられる遊技機用表示ユニットと、この遊技機用表示ユニットを備えた遊技機とに関する。
【背景技術】
【０００２】
回胴式遊技機やパチンコ遊技機等の遊技機としては、遊技に関連する映像等を表示するための液晶表示装置が前面に設けられた機種が主流となっている。近年には、演出効果を高めること等を目的として、複数の液晶表示装置を備えた遊技機も登場し、そのなかには、別の液晶表示装置の表示画面を組み合わせて、１つの映像等を表示するようにしたものも見受けられるようになってきている（例えば、特許文献１の図１４を参照）。
【先行技術文献】
【特許文献】
【０００３】
【特許文献１】特開２００６−３４６３４９号公報
【発明の概要】
【発明が解決しようとする課題】
【０００４】
ところが、複数の液晶表示装置を備えた従来の遊技機においては、平面的な表示しか行うことができず、曲面的な表示を行うことができなかった。この点、複数の液晶表示装置を、それぞれの表示画面が互いに傾斜した状態になるように配置すれば、曲面的な表示を行うことは可能になる。しかし、この場合には、平面状を為す表示画面を組み合わせただけのものとなるため、一の表示画面と他の表示画面との境界部にエッジが形成され、それを視認する遊技者が不自然さを感じる虞がある。最近は、表示画面自体が連続した滑らかな曲面状を為す曲面表示装置（例えば、湾曲液晶表示装置や、湾曲有機ＥＬ表示装置等）と呼ばれるものも登場しているが、この種の曲面表示装置は、非常に高価であり、遊技機用の表示装置としては採用しにくいという問題があった。
【０００５】
本発明は、上記課題を解決するために為されたものであり、表示面（表示画面）が平面状を為す複数の表示装置を組み合わせたものでありながら、曲面的な表示を行うことができ、且つ、一の表示装置の表示面と他の表示装置の表示面との境界部を滑らかな曲面状に見せることもでき、優れた演出効果を奏することのできる遊技機用表示ユニットを提供するものである。また、この遊技機用表示ユニットを備えた遊技機を提供することも本発明の目的である。
【課題を解決するための手段】
【０００６】
上記課題は、
平面状の第一表示面を前面側に有する第一表示装置と、
平面状の第二表示面を前面側に有し、第一表示装置の周囲に配された第二表示装置と、
を備えた遊技機用表示ユニットであって、
第二表示装置が、その第二表示面が第一表示装置の第一表示面に対して傾斜した状態となるように配されるとともに、
第一表示面の前側を覆う第一板状部と、第二表示面の前側を覆う第二板状部とが連続的に形成された板状を為し、少なくとも第一板状部と第二板状部との接続部分が曲面状に形成された透明板が、第一表示面及び第二表示面の前側に配されることにより、
遊技者から見たときに、少なくとも第一表示面と第二表示面との境界部周辺が、曲面状に視認されるようにした
ことを特徴とする遊技機用表示ユニット
を提供することによって解決される。
【０００７】
ここで、「透明板」とは、無色透明な板状部材に限定されず、一面側から他面側を視認できる板状部材を広く含む。このため、着色された板状部材や、半透明な板状部材や、スモーク処理が施された板状部材や、ハーフミラー処理が施された板状部材等であっても、一面側から他面側を視認できるのであれば、「透明板」の概念に含まれるものとする。
【０００８】
かかる構成のように、第一表示装置の第一表示面と第二表示装置の第二表示面とを傾斜した状態に配することによって、表示面が平面状を為す複数の表示装置を組み合わせたものでありながら、曲面的な表示を行うことが可能になる。また、第一表示面及び第二表示面の前側に配される透明板を、連続的に形成されたものとし、その透明板における、第一表示面と第二表示面との境界部を覆う箇所（第一板状部と第二板状部との接続部分）を曲面状に形成したことによって、第一表示面と第二表示面との境界部を滑らかな曲面状に見せることも可能になる。すなわち、図２に示すように、透明板１２０を第一表示面１１１ａ及び第二表示面１１２ａの前側に配置すると、第一表示面１１１ａと第二表示面１１２ａとの境界部のエッジが、曲面状に形成された接続部分１２３によって覆われた状態になるところ、その接続部分１２３には曲面状の光沢感が現れるため、上記のエッジを相対的に目立ちにくくすることが可能になる。したがって、曲面状で立体的で奥行きがあり、臨場感や迫力のある映像等を、遊技者が不自然さを感じにくい状態で表示することが可能になる。よって、遊技機用表示ユニットによる演出効果を高めることも可能になる。
【０００９】
本発明の遊技機用表示ユニットにおいては、透明板の後側を拡大又は縮小して前面側に見えるようにするためのレンズ部を、透明板における前記接続部分に設けることも好ましい。
【００１０】
というのも、本発明の遊技機用表示ユニットのように、平面状の第一表示面と平面状の第二表示面とを互いに傾斜して配した場合には、通常、第一表示面における、第二表示面に近い側の縁部（以下において、「第一表示面の第二表示面近接縁部」と呼ぶことがある。）、及び、第二表示面における、第一表示面に近い側の縁部（以下において、「第二表示面の第一表示面近接縁部」と呼ぶことがある。）が遊技者から最も遠くなる。このため、透明板の接続部分を、場所にかかわらず一定の倍率でその後側が見えるものとすると、透明板の接続部分の後側における近い部分も遠い部分も同じ倍率で拡大等されてしまい、その遠近感によって、第一表示面と第二表示面との境界部を遊技者が認識しやすくなる虞がある。この点、かかる構成を採用することによって、透明板の接続部分から後側に遠く離れた箇所ほど大きく見せること、又は、透明板の接続部分から後側に近い箇所ほど小さく見せることが可能になり、第一表示面の第二表示面近接縁部付近や、第二表示面の第一表示面近接縁部付近を、自然な曲面状に見えるようにし、第一表示面と第二表示面との境界部を遊技者に認識されにくくすることが可能になるからである。
【００１１】
本発明の遊技機用表示ユニットにおいては、
第一表示装置を、その第一表示面の周辺部に第一枠部を有するものとして、
第二表示装置を、その第二表示面の周辺部に第二枠部を有するものとし、
前記レンズ部を、
前記接続部分における、第一板状部側に設けられた第一レンズ部と、
前記接続部分における、第二板状部側に設けられた第二レンズ部と
で構成する
ことも好ましい。
【００１２】
というのも、一般的な液晶表示装置等は、その表示画面（表示面）の周辺部に枠部（表示面としては機能しないフレーム状の部分）を有しているため、この種の液晶表示装置等を上記の第一表示装置や第二表示装置として用いた場合には、第一表示面と第二表示面との境界部に位置する枠部によって、第一表示面の表示内容と第二表示面の表示内容とが分断された状態となり、表示内容の一体感が損なわれる虞がある。この点、かかる構成のように、透明板における第一板状部と第二板状部との接続部分に、第一レンズ部と第二レンズ部を設けることによって、第一枠部及び第二枠部で遊技者側に反射した光が遊技者の目に届かないように、その光の進行方向を第一レンズ部及び第二レンズ部でそれぞれ制御することが可能になる。このため、第一表示面と第二表示面との境界部に位置する第一枠部及び第二枠部を、遊技者から見えにくくして、第一表示面の表示内容と第二表示面の表示内容とをより自然な状態で繋げ、それらの表示内容の一体性をさらに高めることが可能になるからである。
【００１３】
本発明の遊技機用表示ユニットにおいて、上記のように、透明板における第一板状部と第二板状部との接続部分に第一レンズ部と第二レンズ部とを設ける場合には、
第一レンズ部を、第二レンズ部に近くなるにつれて倍率が高くなるものとして、
第二レンズ部を、第一レンズ部に近くなるにつれて倍率が高くなるものとする
ことが好ましい。
【００１４】
というのも、透明板における第一板状部と第二板状部との接続部分にレンズ部を設けることによって、当該接続部分の後側に位置する第一表示面や第二表示面が自然な曲面状に見えるようになることについては、既に述べた通りであるが、レンズ部を第一レンズ部と第二レンズ部とで構成した場合には、第一表示面の第二表示面近接縁部と、第二表示面の第一表示面近接縁部とを、第一レンズ部と第二レンズ部とでそれぞれ拡大等するようになることに加えて、第一表示面の第二表示面近接縁部は、第二表示面に近い箇所ほど前記接続部分から遠くなり、第二表示面の第一表示面近接縁部は、第一表示面に近い箇所ほど前記接続部分から遠くなるため、第一表示面の第二表示面近接縁部と第二表示面の第一表示面近接縁部とを自然な曲面状に繋がった状態で見えるようにすることは必ずしも容易ではない。この点、かかる構成を採用することによって、レンズ部を第一レンズ部と第二レンズ部とで構成した場合であっても、第一表示面の第二表示面近接縁部における前記接続部分から遠い箇所ほど大きく拡大するとともに、第二表示面の第一表示面近接縁部における前記接続部分から遠い箇所ほど大きく拡大することができるようになるため、第一表示面の第二表示面近接縁部と第二表示面の第一表示面近接縁部とを自然な曲面状に繋がった状態で見えるようにすることが可能になるからである。
【００１５】
本発明の遊技機用表示ユニットにおいて、上記のように、透明板における第一板状部と第二板状部との接続部分に上記の第一レンズ部と第二レンズ部とを設ける場合には、
第二表示装置の第二枠部における、第一表示面と第二表示面との境界部に位置する部分を、第一表示装置の第一枠部における、第一表示面と第二表示面との境界部に位置する部分の前側に重なる状態で配し、
第一レンズ部の倍率を、第二レンズ部の倍率よりも高くする
ことも好ましい。
【００１６】
かかる構成を採用することによって、第一表示装置の第一枠部における、第一表示面と第二表示面との境界部に位置する部分を、第二表示装置の第二枠部における、第一表示面と第二表示面との境界部に位置する部分で覆い隠し、当該境界部にある第一枠部を遊技者からさらに見えにくくすることが可能になる。また、この場合には、第一表示面と第二表示面との境界部においては、第一表示面が第二表示面よりも後側（遊技者から見て奥側）に位置するようになるため、第一レンズ部の倍率と第二レンズ部の倍率とを同等とした場合には、当該境界部において、第一表示面が第二表示面よりも小さく見えてしまい、第一枠部や第二枠部が遊技者から略完全に見えなくなったとしても、その表示寸法の差による境界線が目立つ虞があるところ、第一レンズ部の倍率を第二レンズ部の倍率よりも高くすることによって、第一表示面の表示寸法と第二表示面の表示寸法とを当該境界部において近づけ、前記境界線が目立ちにくくすることも可能になる。したがって、第一表示面と第二表示面とを、恰も１枚の曲面状の表示面であるかのように見せることも可能になる。
【００１７】
本発明の遊技機用表示ユニットにおいて、上記のように、第二枠部を第一枠部よりも前側に配する場合には、第二表示装置を、その第二表示面が第一表示面よりも前側に突き出た状態で配すると好ましい。
【００１８】
かかる構成を採用することによって、第一表示面と第二表示面との境界部に位置する第一枠部を遊技者からさらに見えにくくするだけでなく、第二表示面を第一表示面から大きく突き出させることができ、表示面の面積を大きく確保することも可能になる。このため、表示内容（特に第二表示面の表示内容）を、さらに臨場感や迫力のある状態で表示することも可能になる。
【００１９】
本発明の遊技機用表示ユニットにおいては、
第二表示装置を、第一表示装置を間に挟んだ状態で第一表示装置の両側に配し、
透明板の第二板状部を、第一板状部を間に挟んだ状態で第一板状部の両側に設ける
ことも好ましい。
【００２０】
かかる構成のように、少なくとも３つの表示装置（１つの第一表示装置と２つの第二表示装置）を用いることによって、２つの表示装置（１つの第一表示装置と１つの第二表示装置）を用いた場合と比較して、表示面をより滑らかな曲面状に見せることが可能になる。また、表示面の面積をさらに大きく確保することもできるため、その表示内容を、さらに臨場感や迫力のある状態で表示することも可能になる。この構成は、第二表示装置を、その第二表示面が第一表示面よりも前側に突き出た状態で配する場合（特に、第一表示面を前後方向に対して略垂直に配し、その両側の第二表示面を手前側に傾斜させる場合）において採用すると好適である。
【図面の簡単な説明】
【００２１】
【図１】回胴式遊技機を前方から見た図である。
【図２】本発明に係る表示ユニット（遊技機用表示ユニット）を組み立てている様子を示した斜視図である。
【図３】図２の表示ユニット（遊技機用表示ユニット）における本体部材を、ｙ軸方向負側（前方）から見た状態を示した図である。
【図４】図２（ｂ）の表示ユニット（遊技機用表示ユニット）を、ｘ−ｙ平面に平行な平面（水平面）で切断して、その下側を示した斜視図である。
【図５】図４の表示ユニット（遊技機用表示ユニット）の切断面（断面）を、ｚ軸方向正側（上方）から見た状態を示した図である。
【図６】透明板における第一板状部と第二板状部との接続部分のバリエーションを示した図である。
【図７】図６（ａ）の透明板を用いた場合において、第一表示装置の第一枠部周辺又は第二表示装置の第二枠部周辺から出て遊技者の目に入る光線群を示した図である。
【図８】図６（ｃ）の透明板を用いた場合において、第一表示装置の第一枠部周辺又は第二表示装置の第二枠部周辺から出て遊技者の目に入る光線群を示した図である。
【図９】図６（ａ）の透明板を用いた場合と、図６（ｃ）の透明板を用いた場合とのそれぞれにおける、遊技者からの第一表示面及び第二表示面の見え方をシミュレーションした結果を示した図である。
【発明を実施するための形態】
【００２２】
本発明に係る構成を採用した遊技機の好適な実施態様について、図面を用いてより具体的に説明する。以下においては、説明の便宜上、回胴式遊技機を例に挙げて説明するが、本発明に係る構成は、パチンコ遊技機等の他の遊技機においても採用することができる。
【００２３】
また、後掲する各図には、ｘ軸、ｙ軸及びｚ軸を示している。ｘ軸、ｙ軸及びｚ軸の向きは、異なる図であっても、互いに一致している。以下においては、ｘ軸方向正側を「右」側、ｘ軸方向負側を「左」側、ｙ軸方向正側を「後」側、ｙ軸方向負側を「前」側、ｚ軸方向正側を「上」側、ｘ軸方向負側を「下」側と呼ぶことがあるが、これは、各部の相対的な位置関係を表すためのものに過ぎず、各部の絶対的な位置関係を限定するものではない。
【００２４】
１．  回胴式遊技機の概要
図１は、回胴式遊技機１０を前方から見た図である。回胴式遊技機１０は、図１に示すように、その前面側に、メダルを投入するためのメダル投入口１１と、メダルを払い出すためのメダル払出口１２と、その外周面に図柄が描かれた３本のリール１３，１４，１５と、映像演出を行うための表示ユニット１００と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、クレジットされたメダルを払い戻すための払戻しボタン２５等を有するものとなっている。
【００２５】
この回胴式遊技機１０は、メダルのクレジット枚数が所定枚数以上となった状態でスタートレバー２０が操作されると、役抽選が実行されるとともにリール１３，１４，１５が回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ａ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、筺体１０ａの内部に配されたホッパーユニット（図示省略）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２６】
本発明に係る構成は、上記の表示ユニット１００（遊技機用表示ユニット）において採用することができる。この表示ユニット１００は、後述するように、表示面が平面状を為す複数の表示装置を組み合わせたものでありながら、曲面的な表示を行うことができるとともに、一の表示装置の表示面と他の表示装置の表示面との境界部を滑らかな曲面状に見せることもできるものとなっており、優れた演出効果を奏することが可能なものとなっている。以下、この表示ユニット１００について、詳しく説明する。
【００２７】
２．表示ユニット（遊技機用表示ユニット）
図２は、表示ユニット１００を組み立てている様子を示した斜視図である。表示ユニット１００は、図１に示すように、本体部材１１０に対して透明板１２０を組み付けることによって構成されるものとなっている。
【００２８】
２．１  本体部材
図３は、図２の表示ユニット１００における本体部材１１０を、前方（ｙ軸方向負側）から見た状態を示した図である。図４は、図２（ｂ）の表示ユニット１００を、水平面（ｘ−ｙ平面に平行な平面）で切断して、その下側を示した斜視図である。図５は、図４の表示ユニット１００の切断面（断面）を、上方（ｚ軸方向正側）から見た状態を示した図である。本体部材１１０は、図３に示すように、第一表示面１１１ａを前面側に有する第一表示装置１１１と、第二表示面１１２ａを前面側に有する第二表示装置１１２と、第一表示装置１１１及び第二表示装置１１２を後側から保持するための表示装置用フレーム１１３とで構成している。表示装置用フレーム１１３のさらに後側には、表示装置用フレーム１１３を筺体１０ａ（図１）に取り付けるための取り付け部材（図示省略）や、表示装置１１１，１１２を制御するための電子基板が収容された基板ケース（図示省略）等が配される。
【００２９】
第一表示装置１１１の第一表示面１１１ａと、第二表示装置１１２の第二表示面１１２ａは、いずれも平面状となっている。第一表示面１１１ａや第二表示面１１２ａには、遊技に関連する画像が表示される。ここで、「画像」は、静止画だけに限定されず、動画（アニメーション等）も含む。また、「画像」は、キャラクターや風景等、絵画的又は写真的に表わされたものに限定されず、単純な図形や文字等、非絵画的又は非写真的に表わされたものも含む。
【００３０】
第二表示装置１１２は、図４に示すように、その第二表示面１１２ａが第一表示装置１１１の第一表示面１１１ａに対して傾斜した状態となるように配される。すなわち、第一表示面１１１ａと第二表示面１１２ａは、互いに傾斜した状態となっている。このため、曲面状で立体的で奥行きがある画像を表示面１１１ａ，１１２ａに表示することが可能となっている。
【００３１】
第一表示面１１１ａに対して第二表示面１１２ａが為す傾斜角度θ（図５）は、０°よりも大きく、１８０°よりも小さければ特に限定されない。しかし、傾斜角度θが小さすぎると、本発明に係る構成を採用する意義が低下する。このため、傾斜角度θは、通常、１０°以上とされる。傾斜角度θは、２０°以上であると好ましく、３０°以上であるとより好ましい。一方、傾斜角度θを大きくしすぎると、表示面１１１ａ，１１２ａのうち一方又は双方が、遊技者から視認しにくくなる虞がある。このため、傾斜角度θは、通常、１５０°以下とされる。傾斜角度θは、１２０°以下であると好ましく、９０°以下であるとより好ましい。本実施態様において、傾斜角度θは、約６０°となっている。
【００３２】
表示装置１１１，１１２は、表示面１１１ａ，１１２ａが平面状を為し、且つ、上記のような画像を表示可能なものであれば、特に限定されない。表示装置１１１，１１２としては、液晶表示装置や、有機ＥＬ表示装置や、ＬＥＤ表示装置（多数の発光ダイオードを平面状に配列した表示装置）等が例示される。しかし、既に述べたように、本発明は、表示面１１１ａ，１１２ａが平面状を為す複数の表示装置１１１，１１２を組み合わせたものでありながら、曲面的な表示を行うためのものであるところ、有機ＥＬ表示装置は、その表示面を曲面状に湾曲させることができるため、表示装置１１１，１１２を有機ＥＬ表示装置とした場合には、本発明に係る構成を採用する意義が低下する。また、本発明は、以下で述べるように、その仕様によっては、第一表示面１１１ａの表示内容と、第二表示面１１２ａの表示内容とを滑らかに繋げてそれらの表示内容の一体性を高めるものができるものであるところ、ＬＥＤ表示装置は、画素が粗く（ＬＥＤ表示装置では、通常、１〜３個の発光ダイオードが１つの画素に対応する。）、高精細な画像を表示することが難しい。
【００３３】
これに対し、液晶表示装置は、通常、その表示面を曲面状に湾曲させることが難しいが、高精細な画像を表示することが可能である。また、本発明は、後述するように、その仕様によっては、第一表示装置１１１の第一表示面１１１ａと、第二表示装置１１２の第二表示面１１２ａとの境界部分に、表示には機能しない部分（非表示部分）が存在する場合であっても、その非表示部分が遊技者から見えないようにすることが可能なものであるところ、一般的な液晶表示装置は、その表示面の周辺部に枠状の非表示部分（当該非表示部分の幅は、少なくとも５〜１０ｍｍ程度であることが多い。）が存在している。すなわち、表示装置１１１，１１２を液晶表示装置とすると、本発明に係る構成を採用する意義を高めることができる。このため、本実施態様においても、表示装置１１１，１１２は、液晶表示装置としている。図４に示すように、第一表示装置１１１には、表示には機能しない第一枠部１１１ｂが、第一表示面１１１ａの周辺部に沿って枠状に設けられており、第二表示装置１１２にも、表示には機能しない第二枠部１１２ｂが、第二表示面１１２ａの周辺部に沿って枠状に設けられている。
【００３４】
表示装置１１１，１１２の表示面１１１ａ，１１２ａの形状（外周形状）も、特に限定されない。表示面１１１ａ，１１２ａの外周形状は、円形や楕円形等、曲線部を有する形状とすることもできるが、この場合には、後述する透明板１２０の成形が難しくなる虞がある。このため、表示面１１１ａ，１１２ａの外周形状は、通常、多角形状とされ、好ましくは、矩形状とされる。本実施態様においても、表示面１１１ａ，１１２ａの外周形状はいずれも、矩形状となっている。第一表示面１１１ａの寸法と第二表示面１１２ａの寸法は、同じであってもよいし、異なっていてもよい。本実施態様において、第一表示面１１１ａは、縦長が約１４０ｍｍで横長が約３４５ｍｍとなっており、第二表示面１１２ａは、縦長が約７０ｍｍで横長が約１８５ｍｍとなっている。後述するように、第一表示面１１１ａにおける縦方向（上下方向）に延びる縁部（左縁部及び右縁部）には、第二表示面１１２ａにおける縦方向（上下方向）に延びる縁部（左縁部又は右縁部）が重ねられるところ、本実施態様のように、表示面１１１ａ，１１２ａにおける互いに重なり合う縁部の長さを揃えることによって、第一表示面１１１ａの表示内容と第二表示面１１２ａの表示内容との一体性をより高めることが可能になる。
【００３５】
表示ユニット１００は、１つの第一表示装置１１１に対し、少なくとも１つの第二表示装置１１２を備えたものであれば、特に限定されない。しかし、表示面１１１ａ，１１２ａの面積を大きくして、より臨場感や迫力のある画像を表示面１１１ａ，１１２ａに表示するようにしながらも、表示面１１１ａ，１１２ａを滑らかな曲面状に見えるようにするためには、１つの第一表示装置１１１に対し、複数の第二表示装置１１２を設けると好ましい。本実施態様においては、図３に示すように、第一表示装置１１１の左側（ｘ軸方向正側）と右側（ｘ軸方向負側）に、第二表示装置１１２を１つずつ配している。
【００３６】
左側の第二表示装置１１２と右側の第二表示装置１１２ａは、上記の傾斜角度θや表示面の寸法等に差を設けてもよいが、本実施態様においては、傾斜角度θや表示面の寸法等を揃えている。加えて、第一表示装置１１１は、その第一表示面ａの法線方向が左右方向（ｘ軸方向）に垂直になるように配している。このため、表示面１１１ａ，１１２ａは、左右対称となるようにしている。第一表示面１１１ａの法線方向は、前後方向（ｙ軸方向）と平行にしてもよいが、遊技者の視線方向と平行になるように、上側（ｚ軸方向正側）や下側（ｚ軸方向負側）に傾けてもよい。
【００３７】
ところで、第一表示装置１１１の第一枠部１１１ｂにおける、表示面１１１ａ，１１２ａの境界部に位置する部分（以下においては、「第一枠部１１１ｂの境界側部分」と呼ぶことがある。）と、第二表示装置１１２の第二枠部１１２ｂにおける、表示面１１１ａ，１１２ａの境界部に位置する部分（以下においては、「第二枠部１１２ｂの境界側部分」と呼ぶことがある。）は、前後方向（ｙ軸方向）に重ならないように並べて配置（本実施態様においては左右方向（ｘ軸方向）に並べて配置）してもよい。しかし、この場合には、表示面１１１ａ，１１２ａの境界部に位置する枠部１１１ｂ，１１２ｂが太くなり、表示面１１１ａ，１１２ａの境界部が目立ちやすくなる虞がある。このため、第一枠部１１１ｂの境界側部分と第二枠部１１２ｂの境界部分は、前後方向に重ねた状態とすることが好ましい。これにより、第一枠部１１１ｂの境界側部分と第二枠部１１２ｂの境界側部分のうち、いずれか一方で他方を覆い隠すことが可能になり、表示面１１１ａ，１１２ａの境界部に位置する枠部１１１ｂ，１１２ｂを細くして、表示面１１１ａ，１１２ａの境界部を目立ちにくくすることが可能になる。
【００３８】
このとき、第二枠部１１２ｂの境界側部分を、第一枠部１１２ｂの境界側部分の後側に重ねてもよい。しかし、表示面１１１ａ，１１２ａに臨場感や迫力のある画像を表示できるようにするためには、第二表示面１１２ａを第一表示面１１１ａから前方に大きく突き出させた方が好ましいところ、第二枠部１１２ｂの境界側部分を、第一枠部１１２ｂの境界側部分の後側に重ねると、その分、第二表示装置１１２が後側に控えた位置になるため、第二表示面１１２ａを前方に大きく突き出させることができなくなる。このため、本実施態様においては、図５に示すように、第二枠部１１２ｂの境界側部分を、第一枠部１１２ｂの境界側部分の前側に重ねて配置しており、第二表示面１１２ａを第一表示面１１１ａから前方に大きく突出させることができるようにしている。
【００３９】
また、本実施態様においては採用していないが、第二表示装置１１２は、第一表示装置１１１の上側や下側に設けることもできる。この場合には、第一表示装置１１１の上側に配した第二表示装置１１２と第一表示装置１１１の左側に配した第二表示装置１１２との間（第一表示装置１１１の左上）や、第一表示装置１１１の上側に配した第二表示装置１１２と第一表示装置１１１の右側に配した第二表示装置１１２との間（第一表示装置１１１の右上）や、第一表示装置１１１の下側に配した第二表示装置１１２と第一表示装置１１１の左側に配した第二表示装置１１２との間（第一表示装置１１１の左下）や、第一表示装置１１１の下側に配した第二表示装置１１２と第一表示装置１１１の右側に配した第二表示装置１１２との間（第一表示装置１１１の右下）に、第一表示装置１１１や第二表示装置１１２と同様、表示面が平面状を為す他の表示装置（第三表示装置）を設けることもできる。さらに、第二表示装置１１２や第三表示装置の外側（第一表示装置１１１から遠くなる側）にも、第一表示装置１１１や第二表示装置１１２と同様、表示面が平面状を為す別の表示装置（第四表示装置）を設けることもできる。
【００４０】
このように、表示ユニット１００を多数の表示装置で構成することによって、表示面の大面積化と、表示面の曲面の円滑化とを実現することが可能になる。この場合、第三表示装置や第四表示装置は、第一表示装置１１１や第二表示装置１１２と同種の表示装置とする（例えば、第一表示装置１１１及び第二表示装置１１２をフルカラーの液晶表示装置とした場合には、第三表示装置や第四表示装置もフルカラーの液晶表示装置とする）と好ましい。これにより、各表示面の表示内容の一体性を高めることが可能になる。
【００４１】
２．２  透明板
透明板１２０は、第一表示装置１１１の第一表示面１１１ａ及び第二表示装置１１２の第二表示面１１２ａの前側に配される。透明板１２０は、第一表示面１１１ａの前側を覆う第一板状部１２１と、第二表示面１１２ａの前側を覆う第二板状部１２２とが連続的（一体的）に形成された板状の部材となっている。既に述べたように、本実施態様においては、第二表示装置１１２を、第一表示装置１１１の左右両側に１つずつ配しているため、第二板状部１２２も、第一板状部１２１の左右両側に１つずつ配している。このように、第一板状部１２１及び第二板状部１２２は、第一表示面１１１ａ及び第二表示面１１２ａの数や配置に応じて、その数や配置が決定される。上記の第三表示装置や第四表示装置を設ける場合には、透明板１２０には、第三表示装置の表示面（第三表示面）の前側を覆う第三板状部や、第四表示装置の表示面（第四表示面）の前側を覆う第四板状部も、一体的に設けられる。
【００４２】
透明板１２０は、透明性を有する材料によって形成される。透明板１２０の成形材料としては、ポリカーボネートやアクリル等の透明樹脂が例示される。このため、第一表示面１１１ａや第二表示面１１２ａの表示内容は、透明板１２０を介して遊技者に視認されるようになる。この透明板１２０は、平面状を為す第一表示面１１１ａにおける表示内容と、第一表示面１１１ａに対して傾斜して配された平面状を為す第二表示面１１２ａにおける表示内容とを、滑らかな曲面状に繋がった状態（第一表示面１１１ａと第二表示面１１２ａとの境界部のエッジが目立たない状態）で遊技者に視認させるためのものとなっている。換言すると、透明板１２０は、少なくとも第一表示面１１１ａと第二表示面１１２ａとの境界部周辺を、滑らかな曲面状に視認させるためのものとなっている。
【００４３】
透明板１２０は、通常、その第一板状部１２１及び第二板状部１２２がそれぞれ第一表示面１１１ａ及び第二表示面１１２ａに対して平行となる状態に配される。このため、第一板状部１２１に対して第二板状部１２２が為す傾斜角度φ（図５）は、通常、第一表示面１１１ａに対して第二表示面１１２ａが為す傾斜角度θ（図５）と同一とされる。ただし、第一板状部１２１及び第二板状部１２２を、それぞれ第一表示面１１１ａ及び第二表示面１１２ａに対して平行に配置する構成に限定されない。表示面１１１ａ，１１２ａの視認性を大きく低下させない程度であれば、第一板状部１２１及び第二板状部１２２を、それぞれ第一表示面１１１ａ及び第二表示面１１２ａに対して非平行に配することもできる。また、傾斜角度φも、傾斜角度θに一致させる必要はなく、傾斜角度θとは異なる値に設定することができる。
【００４４】
既に述べたように、透明板１２０は、第一表示面１１１ａと第二表示面１１２ａとの境界部周辺を滑らかな曲面状に視認させる（第一表示面１１１ａと第二表示面１１２ａとの境界部のエッジが目立たなくする）ためのものであるため、透明板１２０における第一板状部１２１と第二板状部１２２との接続部分１２３は、そうすることが可能な形状とされる。接続部分１２３の形状は、一義的には定まらないが、例えば、図６（ａ），（ｂ），（ｃ）に示すように、円弧状に湾曲させると、第一表示面１１１ａと第二表示面１１２ａとの境界部周辺を滑らかな曲面状に見せることが可能になる。図６は、透明板１２０における第一板状部１２１と第二板状部１２２との接続部分１２３のバリエーションを示した図である。
【００４５】
図６（ａ）の透明板１２０における接続部分１２３は、円弧状に湾曲しており、接続部分１２３の板厚が、場所によらず略均一となっている。また、図６（ｂ）の透明板１２０における接続部分１２３は、円弧状に湾曲している点では、図６（ａ）の透明板１２０と同様であるが、接続部分１２３の板厚が、接続部分１２３の中間部付近で最大となるように連続的に変化しており、接続部分１２３がレンズ部として機能するようになっている。さらに、図６（ｃ）の透明板１２０における接続部分１２３も、円弧状に湾曲している点では、図６（ａ），（ｂ）の透明板１２０と同様であるが、２つのレンズ部（第一レンズ部１２３ａ及び第二レンズ部１２３ｂ）を有する形状となっている。
【００４６】
図６（ｃ）の透明板１２０における第一レンズ部１２３ａ及び第二レンズ部１２３ｂについてさらに詳しく説明すると、第一レンズ部１２３ａは、接続部分１２３における、第一板状部１２１側に設けられたレンズ部となっており、第二レンズ部１２３ｂは、接続部分１２３における、第二板状部１２２側に設けられたレンズ部となっている。第一レンズ部１２３ａ及び第二レンズ部１２３ｂは、接続部分１２３の後面側に凸面を設けることにより形成している。第一レンズ部１２３ａは、第二レンズ部１２３ｂに近くなるにつれて倍率が高く（凸面の曲率半径が小さく）なっており、第二レンズ部１２３ｂは、第一レンズ部１２３ａに近くなるにつれて倍率が高く（凸面の曲率半径が小さく）なっている。
【００４７】
透明板１２０の接続部分１２３は、図６（ａ），（ｂ），（ｃ）のいずれの形状としても、透明板１２０が存在しない場合よりも、第一表示面１１１ａと第二表示面１１２ａとの境界部周辺を滑らかな曲面状に視認させることができる。すなわち、図６（ａ），（ｂ），（ｃ）のいずれの透明板１２０も、その接続部分１２３（特に接続部分１２３の前面）が円弧状に湾曲しており、その接続部分１２３には曲面状の光沢感が現れるため、上記のエッジを相対的に目立ちにくくすることが可能なものとなっている。
【００４８】
しかし、第一表示面１１１ａは、それにおける第二表示面１１２ａに近い側の縁部が遊技者から最も遠くなり、第二表示面１１２ａは、それにおける第一表示面１１１ａに近い側の縁部が遊技者から最も遠くなる。このため、透明板１２０の接続部分１２３を図６（ａ）に示す形状とすると、接続部分１２３の後側における近い部分も遠い部分も同じ倍率で見えてしまい、接続部分１２３を通じて現れる第一表示面１１１ａや第二表示面１１２ａの遠近感によって、第一表示面１１１ａと第二表示面１１２ａとの境界部を遊技者が認識しやすくなる（第一表示面１１１ａと第二表示面１１２ａとの境界部が滑らかな曲面状になっていないと認識しやすくなる）虞がある。
【００４９】
この点、図６（ｂ）に示すように、接続部分１２３にレンズ部を設けることによって、実際には、接続部分１２３から後側に遠く離れた箇所にある第一表示面１１１ａの前記縁部や第二表示面１１２ａの前記縁部を大きく見せることができる。このため、第一表示面１１１ａ及び第二表示面１１２ａにおける、接続部分１２３を通じて遊技者に視認される部分の遠近感を、接続部分１２３の曲面（接続部分１２３の前面）の遠近感に近づけ、第一表示面１１１ａと第二表示面１１２ａとの境界部が滑らかな曲面状に繋がっていると遊技者に認識させることが可能になる。
【００５０】
また、既に述べたように、本実施態様においては、第一表示装置１１１や第二表示装置１１２として、表示には機能しない枠部１１１ｂ，１１２ｂが表示面１１１ａ，１１２ａの周辺に設けられた液晶表示装置を用いているところ、図５に示すように、透明板１２０の接続部分１２３の後側にも枠部１１１ｂ，１１２ｂが位置するようになる。第一表示面１１１ａの表示内容と第二表示内容１１２ａの表示内容との一体性を高めるためには、この部分における枠部１１１ｂ，１１２ｂが遊技者から見えにくくすることが好ましい。
【００５１】
しかし、透明板１２０の接続部分１２３を、図６（ａ）や図６（ｂ）に示す形状としただけでは、枠部１１１ｂ，１１２ｂを遊技者から見えにくくすることはできない。図７は、図６（ａ）の透明板１２０を用いた場合において、第一表示装置１１１の第一枠部１１１ｂの周辺又は第二表示装置１１２の第二枠部１１２ｂの周辺から出て遊技者の目に入る光線群を示した図である。図７を見ると、第一枠部１１１ｂから出た光線や第二枠部１１２ｂから出た光線が遊技者の目に入る（第一枠部１１１ｂや第二枠部１１２ｂが遊技者から見える）ことが分かる。図６（ｂ）の透明板１２０を用いた場合の図は掲載していないが、図６（ｂ）の透明板１２０を用いた場合も、図６（ａ）の透明板１２０を用いた場合と同様、第一枠部１１１ｂから出た光線や第二枠部１１２ｂから出た光線が遊技者の目に入るようになる。
【００５２】
これに対し、透明板１２０の接続部分１２３を、図６（ｃ）に示す形状（第一レンズ部１２３ａ及び第二レンズ部１２３ｂを有する形状）にした場合には、第一レンズ部１２３ａで第一表示面１１１ａの縁部が拡大され、第二レンズ部１２３ｂで第二表示面１１２ａの縁部が拡大された結果、透明板１２０の接続部分１２３の後側に位置する第一枠部１１１ｂや第二枠部１１２ｂが遊技者から見えないようにすることが可能になる。図８は、図６（ｃ）の透明板１２０を用いた場合において、第一表示装置１１１の第一枠部１１１ｂの周辺又は第二表示装置１１２の第二枠部１１２ｂの周辺から出て遊技者の目に入る光線群を示した図である。図８を見ると、第一枠部１１１ｂから出た光線や第二枠部１１２ｂから出た光線が遊技者の目に殆ど入らない（第一枠部１１１ｂや第二枠部１１２ｂが遊技者から殆ど見えない）ことが分かる。
【００５３】
加えて、既に述べたように、図６（ｃ）の透明板１２０においては、第一レンズ部１２３ａを、第二レンズ部１２３ｂに近くなるにつれて倍率が高く（凸面の曲率半径が小さく）なるようにするとともに、第二レンズ部１２３ｂを、第一レンズ部１２３ａに近くなるにつれて倍率が高く（凸面の曲率半径が小さく）なるようにしている。このため、第一レンズ部１２３ａでは、その第一レンズ部１２３ａにおける、第二レンズ部１２３ｂから遠い側から近い側になるにつれて、第一レンズ部１２３ａの後側に位置する第一表示面１１１ａが大きく拡大されて表示されるようになっており、第二レンズ部１２３ｂでは、その第二レンズ部１２３ｂにおける、第一レンズ部１２３ａから遠い側から近い側になるにつれて、第二レンズ部１２３ｂの後側に位置する第二表示面１１１ｂが大きく拡大されて表示されるようになっている。
【００５４】
したがって、第一表示面１１１ａの縁部（接続部分１２３の後方に位置する縁部）における接続部分１２３から後方に離れた箇所ほど大きく拡大するとともに、第二表示面１１２ａの縁部（接続部分１２３の後方に位置する縁部）における接続部分１２３から後方に離れた箇所ほど大きく拡大することができるようになるため、透明板１２０の接続部分１２３におけるレンズ部を、第一レンズ部１２３ａと第二レンズ部１２３ｂとで構成した場合であっても、第一表示面１１１ａの前記縁部と第二表示面１１２ａの前記縁部とを自然な曲面状に繋がった状態で見えるようにすることが可能となっている。換言すると、第一レンズ部１２３ａ及び第二レンズ部１２３ｂを通じて遊技者に視認される第一表示面１１１ａ及び第二表示面１１２ａの遠近感を、接続部分１２３の曲面（接続部分１２３の前面）の遠近感に近づけ、第一表示面１１１ａと第二表示面１１２ａとの境界部が滑らかな曲面状に繋がっていると遊技者に認識させることが可能になっている。よって、本実施態様においても、透明板１２０の接続部分１２３は、図６（ｃ）に示す形状を採用している。
【００５５】
参考までに、図６（ｃ）の形状を採用したことによる上記の効果を裏付けるシミュレーション結果を示す。図９は、図６（ａ）の透明板１２０を用いた場合と、図６（ｃ）の透明板１２０を用いた場合とのそれぞれにおける、遊技者からの第一表示面１１１ａ及び第二表示面１１１ｂの見え方をシミュレーションした結果を示した図である。この図９を見ると、図６（ａ）の透明板１２０を用いた場合（図９（ａ）の場合）よりも、図６（ｃ）の透明板１２０を用いた場合（図９（ｂ）の場合）の方が、第一表示面１１１ａと第二表示面１１２ａとの境界が目立ちにくくなっていることが分かる。
【００５６】
具体的には、図９（ａ）を見ると、第一表示面１１１ａと第二表示面１１２ａとの間に隙間（実際には、当該隙間となる部分には、第一枠部１１１ｂや第二枠部１１２ｂが存在する。）が現れており、第一表示面１１１ａと第二表示面１１２ａとの境界をはっきりと認識できるのに対し、図９（ｂ）を見ると、第一表示面１１１ａと第二表示面１１２ａとが繋がった状態となっており、第一表示面１１１ａと第二表示面１１２ａとの境界が目立ちにくくなっていることが分かる。また、図９（ａ）を見ると、第一表示面１１１ａ及び第二表示面１１２ａには、第一表示面１１１ａと第二表示面１１２ａとの境界部に近づくにつれて遠くに見える（グリッドにおける縦線の間隔が狭くなる）遠近感が現れているのに対し、図９（ｂ）を見ると、第一表示面１１１ａと第二表示面１１２ａとの境界部には、自然な円筒面に近い遠近感が現れていることが分かる。
【００５７】
ところで、第一レンズ部１２３ａの倍率と第二レンズ部１２３ｂの倍率との大小関係は、特に限定されない。第一レンズ部１２３ａの倍率は、第二レンズ部１２３ｂの倍率よりも大きく（高く）してもよいし、第二レンズ部１２３ｂの倍率と等しくしてもよいし、第二レンズ部１２３ｂの倍率よりも小さく（低く）してもよい。しかし、本実施態様においては、既に述べたように、第二枠部１１２ｂの境界側部分を、第一枠部１１１ｂの境界側部分の前側に重ねた状態で配したため、第一表示面１１１ａは、第二表示面１１２ａよりも後側に位置するようになっている。このため、第一レンズ部１２３ａの倍率を、第二レンズ部１２３ｂの倍率以下とすると、遊技者から遠くにある第一表示面１１１ａにおける、第一枠部１１１ｂの境界側部分周辺が、遊技者の近くにある第二表示面１１２ａにおける、第二枠部１１２ｂの境界側部分周辺よりも不自然に小さく見えるようになり、第一枠部１１１ｂの境界側部分や第二枠部１１２ｂの境界側部分が遊技者から略完全に見えなくなったとしても、その表示寸法の差によって第一表示面１１１ａと第二表示面１１２ａとの境界が目立つようになる虞がある。
【００５８】
このため、本実施態様において、第一レンズ部１２３ａの倍率は、第二レンズ部１２３ｂの倍率よりも高くしている。これにより、第一表示面１１１ａの表示寸法と第二表示面１１２ａの表示寸法とをその境界部分において近づけ、第一表示面１１１ａと第二表示面１１２ａとの境界線を目立ちにくくすることが可能となっている。
【００５９】
また、透明板１２０の接続部分１２３の曲率半径Ｒ（図６（ｃ））は、透明板１２０の寸法や上記の傾斜角度θ等によっても異なり、特に限定されない。しかし、接続部分１２３の曲率半径Ｒを小さくしすぎると、第一板状部１２１と第二板状部１２２との境界が目立ちやすくなる虞がある。このため、接続部分１２３の曲率半径Ｒは、通常、５ｍｍ以上とされる。接続部分１２３の曲率半径Ｒは、１０ｍｍ以上であると好ましく、１５ｍｍ以上であるとより好ましい。一方、接続部分１２３の曲率半径Ｒを大きくしすぎると、必然的に透明板１２０が大型化し、透明板１２０が遊技機の筺体１０ａ（図１）に収まりにくくなる。このため、接続部分１２３の曲率半径Ｒは、通常、３００ｍｍ以下とされる。接続部分１２３の曲率半径Ｒは、２００ｍｍ以下であると好ましく、１５０ｍｍ以下であるとより好ましい。
【００６０】
さらに、本実施態様においては、第一板状部１２１及び第二板状部１２２は、いずれも平板状としている。しかし、第一板状部１２１及び第二板状部１２２（特に第一板状部１２１の前面や第二板状部１２２の前面）は、接続部分１２３よりも大きな曲率半径で円弧状に湾曲させてもよい。これにより、表示面１１１ａ，１１２ａによる表示を、より自然な曲面状に見せることが可能になる。
【００６１】
さらにまた、透明板１２０における第一板状部１２１の板厚Ｔ１（図８）や、第二板状部１２２の板厚Ｔ２（図８）も特に限定されないが、通常、１〜３０ｍｍ、好ましくは、２〜２０ｍｍとされる。第一板状部１２１の板厚Ｔ１と第二板状部１２２の板厚Ｔ２は、等しくしてもよいが、異なっていてもよい。本実施態様においては、第一板状部１２１の板厚Ｔ１を、第二板状部１２２の板厚Ｔ２よりもやや大きくしている。
【００６２】
また、透明板１２０における第一板状部１２１や第二板状部１２２は、それぞれ第一表示装置１１１の第一表示面１１１ａや第二表示装置１１２の第二表示面１１２ａに密着させてもよいが、ある程度、隙間を開けることが好ましい。これにより、透明板１２０の前面側に衝撃が加えられた場合であっても、その衝撃が第一表示面１１１ａや第二表示面１１２ａまで伝わらないようにし、第一表示装置１１１や第二表示装置１１２を保護することが可能になる。加えて、第一板状部１２１と第一表示面１１１ａとの境界面や、第二板状部１２２と第二表示面１１２ａとの境界面にニュートンリングが形成されにくくして、表示面１１１ａ，１１２ａの視認性を高めることも可能になる。この場合、第一板状部１２１と第一表示面１１１ａとの隙間の幅Ｗ１（図８）や、第二板状部１２２と第二表示面１１２ａとの隙間の幅Ｗ２（図８）は、特に限定されないが、通常、１〜５０ｍｍ、好ましくは、５〜３０ｍｍとされる。
【符号の説明】
【００６３】
１０      回胴式遊技機
１０ａ    筺体
１０ａ１  リール窓
１１      メダル投入口
１２      メダル払出口
１３      第一リール（リール）
１４      第二リール（リール）
１５      第三リール（リール）
１７      スピーカー
１８      マックスベットボタン
１９      シングルベットボタン
２０      スタートレバー
２１      第一ストップボタン（ストップボタン）
２２      第二ストップボタン（ストップボタン）
２３      第三ストップボタン（ストップボタン）
２５      払戻しボタン
１００      表示ユニット（遊技機用表示ユニット）
１１０      本体部材
１１１      第一表示装置
１１１ａ    第一表示面
１１１ｂ    第一枠部
１１２      第二表示装置
１１２ａ    第二表示面
１１２ｂ    第二枠部
１１３      表示装置用フレーム
１２０      透明板
１２１      第一板状部
１２２      第二板状部
１２３      第一板状部と第二板状部との接続部分
１２３ａ    第一レンズ部
１２３ｂ    第二レンズ部
Ｒ      第一板状部と第二板状部との接続部分の曲率半径
Ｔ１    第一板状部の板厚
Ｔ２    第二板状部の板厚
Ｗ１    第一板状部と第一表示面との隙間の幅
Ｗ２    第二板状部と第二表示面との隙間の幅
θ      第一表示面に対して第二表示面が為す傾斜角度
φ      第一板状部に対して第二板状部が為す傾斜角度
【図１】
2018158060.tif 000003
【図２】
2018158060.tif 000004
【図３】
2018158060.tif 000005
【図４】
2018158060.tif 000006
【図５】
2018158060.tif 000007
【図６】
2018158060.tif 000008
【図７】
2018158060.tif 000009
【図８】
2018158060.tif 000010
【図９】
2018158060.tif 000011
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
平面状の第一表示面を前面側に有し、第一表示面の周辺部に第一枠部を有する第一表示装置と、
平面状の第二表示面を前面側に有し、第二表示面の周辺部に第二枠部を有する、第一表示装置の周囲に配された第二表示装置と、
を備えた遊技機用表示ユニットであって、
第二表示装置が、その第二表示面が第一表示装置の第一表示面に対して向かい合う側に傾斜した状態となるように配されて、第一表示面における第二表示面に近い側の縁部付近では、第二表示面に近い箇所ほど遊技者から遠くなり、第二表示面における第一表示面に近い側の縁部付近では、第一表示面に近い箇所ほど遊技者から遠くなるようにされるとともに、
第一表示面の前側を覆う第一板状部と、第二表示面の前側を覆う第二板状部とが連続的に形成された板状を為し、少なくとも第一板状部と第二板状部との接続部分が曲面状に形成されて、前記接続部分の後側を拡大又は縮小して前面側に見えるようにするためのレンズ部が前記接続部分に設けられた透明板が、第一表示面及び第二表示面の前側に配され、
前記レンズ部が、
前記接続部分における、第一板状部側に設けられた第一レンズ部と、
前記接続部分における、第二板状部側に設けられた第二レンズ部と
を備え、
第一レンズ部が、第二レンズ部に近くなるにつれて倍率が高くなるものとされて、
第二レンズ部が、第一レンズ部に近くなるにつれて倍率が高くなるものとされることにより、
遊技者から見たときに、少なくとも第一表示面と第二表示面との境界部周辺が、曲面状に視認されるようにした
ことを特徴とする遊技機用表示ユニット。
【請求項２】
平面状の第一表示面を前面側に有し、第一表示面の周辺部に第一枠部を有する第一表示装置と、
平面状の第二表示面を前面側に有し、第二表示面の周辺部に第二枠部を有する、第一表示装置の周囲に配された第二表示装置と、
を備えた遊技機用表示ユニットであって、
第二表示装置が、その第二表示面が第一表示装置の第一表示面に対して傾斜した状態となるように配されるとともに、
第一表示面の前側を覆う第一板状部と、第二表示面の前側を覆う第二板状部とが連続的に形成された板状を為し、少なくとも第一板状部と第二板状部との接続部分が曲面状に形成されて、前記接続部分の後側を拡大又は縮小して前面側に見えるようにするためのレンズ部が前記接続部分に設けられた透明板が、第一表示面及び第二表示面の前側に配され、
前記レンズ部が、
前記接続部分における、第一板状部側に設けられた第一レンズ部と、
前記接続部分における、第二板状部側に設けられた第二レンズ部と
を備え、
第二表示装置の第二枠部における、第一表示面と第二表示面との境界部に位置する部分が、第一表示装置の第一枠部における、第一表示面と第二表示面との境界部に位置する部分の前側に重なる状態で配されて、
第一レンズ部の倍率が、第二レンズ部の倍率よりも高くされることにより、
遊技者から見たときに、少なくとも第一表示面と第二表示面との境界部周辺が、曲面状に視認されるようにした
ことを特徴とする遊技機用表示ユニット。
【請求項３】
第二表示装置が、その第二表示面が第一表示面よりも前側に突き出た状態で配された請求項２記載の遊技機用表示ユニット。
【請求項４】
第二表示装置が、第一表示装置を間に挟んだ状態で第一表示装置の両側に配され、
透明板の第二板状部が、第一板状部を間に挟んだ状態で第一板状部の両側に設けられた
請求項１〜３いずれか１つに記載の遊技機用表示ユニット。
【請求項５】
請求項１〜４いずれか１つに記載の遊技機用表示ユニットを備えた遊技機。
【手続補正２】
【補正対象書類名】明細書
【補正対象項目名】０００６
【補正方法】変更
【補正の内容】
【０００６】
上記課題は、
平面状の第一表示面を前面側に有し、第一表示面の周辺部に第一枠部を有する第一表示装置と、
平面状の第二表示面を前面側に有し、第二表示面の周辺部に第二枠部を有する、第一表示装置の周囲に配された第二表示装置と、
を備えた遊技機用表示ユニットであって、
第二表示装置が、その第二表示面が第一表示装置の第一表示面に対して向かい合う側に傾斜した状態となるように配されて、第一表示面における第二表示面に近い側の縁部付近では、第二表示面に近い箇所ほど遊技者から遠くなり、第二表示面における第一表示面に近い側の縁部付近では、第一表示面に近い箇所ほど遊技者から遠くなるようにされるとともに、
第一表示面の前側を覆う第一板状部と、第二表示面の前側を覆う第二板状部とが連続的に形成された板状を為し、少なくとも第一板状部と第二板状部との接続部分が曲面状に形成されて、前記接続部分の後側を拡大又は縮小して前面側に見えるようにするためのレンズ部が前記接続部分に設けられた透明板が、第一表示面及び第二表示面の前側に配され、
前記レンズ部が、
前記接続部分における、第一板状部側に設けられた第一レンズ部と、
前記接続部分における、第二板状部側に設けられた第二レンズ部と
を備え、
第一レンズ部が、第二レンズ部に近くなるにつれて倍率が高くなるものとされて、
第二レンズ部が、第一レンズ部に近くなるにつれて倍率が高くなるものとされることにより、
遊技者から見たときに、少なくとも第一表示面と第二表示面との境界部周辺が、曲面状に視認されるようにした
ことを特徴とする遊技機用表示ユニット
を提供することによって解決される。
また、上記課題は、
平面状の第一表示面を前面側に有し、第一表示面の周辺部に第一枠部を有する第一表示装置と、
平面状の第二表示面を前面側に有し、第二表示面の周辺部に第二枠部を有する、第一表示装置の周囲に配された第二表示装置と、
を備えた遊技機用表示ユニットであって、
第二表示装置が、その第二表示面が第一表示装置の第一表示面に対して傾斜した状態となるように配されるとともに、
第一表示面の前側を覆う第一板状部と、第二表示面の前側を覆う第二板状部とが連続的に形成された板状を為し、少なくとも第一板状部と第二板状部との接続部分が曲面状に形成されて、前記接続部分の後側を拡大又は縮小して前面側に見えるようにするためのレンズ部が前記接続部分に設けられた透明板が、第一表示面及び第二表示面の前側に配され、
前記レンズ部が、
前記接続部分における、第一板状部側に設けられた第一レンズ部と、
前記接続部分における、第二板状部側に設けられた第二レンズ部と
を備え、
第二表示装置の第二枠部における、第一表示面と第二表示面との境界部に位置する部分が、第一表示装置の第一枠部における、第一表示面と第二表示面との境界部に位置する部分の前側に重なる状態で配されて、
第一レンズ部の倍率が、第二レンズ部の倍率よりも高くされることにより、
遊技者から見たときに、少なくとも第一表示面と第二表示面との境界部周辺が、曲面状に視認されるようにした
ことを特徴とする遊技機用表示ユニット
を提供することによっても解決される。
【手続補正３】
【補正対象書類名】明細書
【補正対象項目名】０００９
【補正方法】変更
【補正の内容】
【０００９】
また、本発明の遊技機用表示ユニットにおいては、透明板の後側を拡大又は縮小して前面側に見えるようにするためのレンズ部を、透明板における前記接続部分に設けたことによって、以下の効果も奏されるようになっている。
【手続補正４】
【補正対象書類名】明細書
【補正対象項目名】００１０
【補正方法】変更
【補正の内容】
【００１０】
すなわち、本発明の遊技機用表示ユニットのように、平面状の第一表示面と平面状の第二表示面とを互いに傾斜して配した場合には、通常、第一表示面における、第二表示面に近い側の縁部（以下において、「第一表示面の第二表示面近接縁部」と呼ぶことがある。）、及び、第二表示面における、第一表示面に近い側の縁部（以下において、「第二表示面の第一表示面近接縁部」と呼ぶことがある。）が遊技者から最も遠くなる。このため、透明板の接続部分を、場所にかかわらず一定の倍率でその後側が見えるものとすると、透明板の接続部分の後側における近い部分も遠い部分も同じ倍率で拡大等されてしまい、その遠近感によって、第一表示面と第二表示面との境界部を遊技者が認識しやすくなる虞がある。この点、かかる構成を採用することによって、透明板の接続部分から後側に遠く離れた箇所ほど大きく見せること、又は、透明板の接続部分から後側に近い箇所ほど小さく見せることが可能になり、第一表示面の第二表示面近接縁部付近や、第二表示面の第一表示面近接縁部付近を、自然な曲面状に見えるようにし、第一表示面と第二表示面との境界部を遊技者に認識されにくくすることが可能になる。
【手続補正５】
【補正対象書類名】明細書
【補正対象項目名】００１１
【補正方法】変更
【補正の内容】
【００１１】
さらに、本発明の遊技機用表示ユニットにおいて、
第一表示装置を、その第一表示面の周辺部に第一枠部を有するものとして、
第二表示装置を、その第二表示面の周辺部に第二枠部を有するものとし、
前記レンズ部を、
前記接続部分における、第一板状部側に設けられた第一レンズ部と、
前記接続部分における、第二板状部側に設けられた第二レンズ部と
で構成した場合には、以下の効果も奏されるようになっている。
【手続補正６】
【補正対象書類名】明細書
【補正対象項目名】００１２
【補正方法】変更
【補正の内容】
【００１２】
すなわち、一般的な液晶表示装置等は、その表示画面（表示面）の周辺部に枠部（表示面としては機能しないフレーム状の部分）を有しているため、この種の液晶表示装置等を上記の第一表示装置や第二表示装置として用いた場合には、第一表示面と第二表示面との境界部に位置する枠部によって、第一表示面の表示内容と第二表示面の表示内容とが分断された状態となり、表示内容の一体感が損なわれる虞がある。この点、かかる構成のように、透明板における第一板状部と第二板状部との接続部分に、第一レンズ部と第二レンズ部を設けることによって、第一枠部及び第二枠部で遊技者側に反射した光が遊技者の目に届かないように、その光の進行方向を第一レンズ部及び第二レンズ部でそれぞれ制御することが可能になる。このため、第一表示面と第二表示面との境界部に位置する第一枠部及び第二枠部を、遊技者から見えにくくして、第一表示面の表示内容と第二表示面の表示内容とをより自然な状態で繋げ、それらの表示内容の一体性をさらに高めることが可能になる。
【手続補正７】
【補正対象書類名】明細書
【補正対象項目名】００１３
【補正方法】変更
【補正の内容】
【００１３】
さらにまた、本発明の遊技機用表示ユニットにおいて、
第一レンズ部を、第二レンズ部に近くなるにつれて倍率が高くなるものとして、
第二レンズ部を、第一レンズ部に近くなるにつれて倍率が高くなるものとした場合には、以下の効果も奏されるようになっている。
【手続補正８】
【補正対象書類名】明細書
【補正対象項目名】００１４
【補正方法】変更
【補正の内容】
【００１４】
すなわち、透明板における第一板状部と第二板状部との接続部分にレンズ部を設けることによって、当該接続部分の後側に位置する第一表示面や第二表示面が自然な曲面状に見えるようになることについては、既に述べた通りであるが、レンズ部を第一レンズ部と第二レンズ部とで構成すると、第一表示面の第二表示面近接縁部と、第二表示面の第一表示面近接縁部とを、第一レンズ部と第二レンズ部とでそれぞれ拡大等するようになることに加えて、第一表示面の第二表示面近接縁部は、第二表示面に近い箇所ほど前記接続部分から遠くなり、第二表示面の第一表示面近接縁部は、第一表示面に近い箇所ほど前記接続部分から遠くなるため、第一表示面の第二表示面近接縁部と第二表示面の第一表示面近接縁部とを自然な曲面状に繋がった状態で見えるようにすることは必ずしも容易ではない。この点、かかる構成を採用することによって、レンズ部を第一レンズ部と第二レンズ部とで構成しても、第一表示面の第二表示面近接縁部における前記接続部分から遠い箇所ほど大きく拡大するとともに、第二表示面の第一表示面近接縁部における前記接続部分から遠い箇所ほど大きく拡大することができるようになるため、第一表示面の第二表示面近接縁部と第二表示面の第一表示面近接縁部とを自然な曲面状に繋がった状態で見えるようにすることが可能になる。
【手続補正９】
【補正対象書類名】明細書
【補正対象項目名】００１５
【補正方法】変更
【補正の内容】
【００１５】
そしてまた、本発明の遊技機用表示ユニットにおいて、
第二表示装置の第二枠部における、第一表示面と第二表示面との境界部に位置する部分を、第一表示装置の第一枠部における、第一表示面と第二表示面との境界部に位置する部分の前側に重なる状態で配し、
第一レンズ部の倍率を、第二レンズ部の倍率よりも高くした場合には、以下の効果も奏されるようになっている。
【手続補正１０】
【補正対象書類名】明細書
【補正対象項目名】００１６
【補正方法】変更
【補正の内容】
【００１６】
すなわち、かかる構成を採用することによって、第一表示装置の第一枠部における、第一表示面と第二表示面との境界部に位置する部分を、第二表示装置の第二枠部における、第一表示面と第二表示面との境界部に位置する部分で覆い隠し、当該境界部にある第一枠部を遊技者からさらに見えにくくすることが可能になる。また、この場合には、第一表示面と第二表示面との境界部においては、第一表示面が第二表示面よりも後側（遊技者から見て奥側）に位置するようになるため、第一レンズ部の倍率と第二レンズ部の倍率とを同等とした場合には、当該境界部において、第一表示面が第二表示面よりも小さく見えてしまい、第一枠部や第二枠部が遊技者から略完全に見えなくなったとしても、その表示寸法の差による境界線が目立つ虞があるところ、第一レンズ部の倍率を第二レンズ部の倍率よりも高くすることによって、第一表示面の表示寸法と第二表示面の表示寸法とを当該境界部において近づけ、前記境界線が目立ちにくくすることも可能になる。したがって、第一表示面と第二表示面とを、恰も１枚の曲面状の表示面であるかのように見せることも可能になる。